(57)【特許請求の範囲】
【請求項１】
開口部に２つの扉体を設け、前記２つの扉体は開口部の左右両側の上部と下部とに扉体の一側部で扉体と開口部との間に設けた上支持部と下支持部とを介してそれぞれ回動可能に支持され、前記開口部の中央側で扉体の他側部が互いに接触する扉装置において、２つの扉体の上支持部は、２つの扉体を他側部から一側部に向けて摺動可能とする摺動手段を有し、下支持部は２つの扉体の摺動を禁止する摺動禁止手段を有することを特徴とする扉装置。
【請求項２】
前記摺動手段は凸部と該凸部が相対摺動を可能に挿入される摺動案内凹部とを有する請求項１記載の扉装置。
【請求項３】
前記摺動禁止手段は凸部と該凸部が挿入される摺動禁止凹部とを有する請求項１記載の扉装置。
【請求項４】
前記摺動手段は２つの扉体が摺動する方向へ離間する２つの凸部と、２つの凸部の一方が相対摺動を可能に挿入され、その長手方向が前記摺動する方向となる第１の凹部と、２つの凸部の他方が相対摺動を可能に挿入され、その長手方向が前記扉体の回動方向となる第２の凹部とを有する請求項１記載の扉装置。
【請求項５】
前記開口部を有する収容室と、該収容室を有する冷蔵庫本体と、前記開口部に配置される請求項１〜４のいずれか一つに記載の扉装置とを備えることを特徴とする冷蔵庫。
【発明の詳細な説明】
【０００１】
【発明の属する技術分野】
本発明は開口部を２つの扉体が開閉する扉装置、及びこれを用いた冷蔵庫に関する。
【０００２】
【従来の技術】
左右観音開閉式の２つの扉体を有する扉装置は例えば冷蔵庫に使用されている。この扉装置は、２つの扉体の一側部が開口部の両側にそれぞれ枢支され、２つの扉体の他側部が前記開口部の中央側で互いに接触することにより前記開口部を２つの扉体が封止するように構成されている。
【０００３】
【発明が解決しようとする課題】
ところが、左右開閉の観音式の扉体を有する従来の扉装置は、２つの扉体が開口部を閉じたとき、２つの扉体の他側部が開口部の中央側で互いに接触することにより扉体間のすきまをなくし、密封性を高めてあるため、開口部を閉じた状態では２つの扉体の他側部の接触抵抗が大きくなっている。この結果、扉体の一方を開閉操作するときに必要な操作力が大きくなり、扉体の開閉操作性が悪くなるし、また、扉体の他側部に設けられた封止材が損傷したり、破れたりすることになり、改善策が要望されていた。
【０００４】
図８は本発明の出願人が先に提案した扉装置における扉体の支持部の構成を示す一部を省略した横断面図、図９は本発明の出願人が先に提案した扉装置における扉体の上支持部及び下支持部と扉体に加わる重心荷重との関係を示す模式図である。
そこで、本発明の出願人は、２つの扉体４，５の一側の上部と下部とを、その長手方向が上下となる固定軸４１，５１、及び該固定軸４１，５１が扉体４，５の他側部から一側部に向けての相対摺動を可能に挿入される摺動案内凹部４２，５２を介して回動可能に支持することにより、一方の扉体４又は５の開き始めで該扉体４又は５が他方の扉体５又は４の他側部から離間するように摺動し、換言すれば２つの扉体４，５間にすきまを発生するように摺動し、この摺動した状態で一方の扉体４又は５を開回動させることができるようにした扉装置を先に提案した。
【０００５】
しかしながら、この扉装置にあっては、２つの扉体４，５が開口部を閉じた状態での扉体４，５間の密封性を高めるべく、扉体４，５を前記一側部から他側部に向けて付勢する付勢ばねを設けてあるため、扉体４，５の一方を開閉操作するときに必要な操作力の低減効果をさらに高めることが要望されている。
【０００６】
本発明は斯かる事情に鑑みてなされたものであり、主たる目的は２つの扉体の上支持部及び下支持部の一方が摺動手段を有し、上支持部及び下支持部の他方が摺動禁止手段を有する構成とすることにより、扉体を開閉操作するときに必要な操作力を比較的小さくすることができ、しかも、２つの扉体が開口部を閉じた状態での扉体間の密封性を高めることができる扉装置及び冷蔵庫を提供することにある。
【０００７】
また、他の目的は凸部と該凸部が相対摺動を可能に挿入される摺動案内凹部とを有する摺動手段とすることにより、該摺動手段の構造を簡単にできる扉装置及び冷蔵庫を提供することにある。
【０００８】
また、他の目的は凸部と該凸部が挿入される摺動禁止凹部とを有する摺動禁止手段とすることにより、摺動禁止手段の構造を簡単にできる扉装置及び冷蔵庫を提供することにある。
【０００９】
また、他の目的は２つの扉体が摺動する方向へ離間する２つの凸部と、２つの凸部の一方が相対摺動を可能に挿入され、その長手方向が前記摺動する方向となる第１の凹部と、２つの凸部の他方が相対摺動を可能に挿入され、その長手方向が前記扉体の回動方向となる第２の凹部とを有する摺動手段とすることにより、扉体の摺動方向へのガタ付きを抑制しつつ扉体を回動させることができる扉装置及び冷蔵庫を提供することにある。
【００１０】
また、他の目的は上支持部が摺動手段を有し、下支持部が摺動禁止手段を有する構成とすることにより、上支持部及び下支持部に対して扉体の他側に偏倚した位置に加わる扉体の重心荷重が比較的大きい場合においても、この重心荷重による扉体の摺動を禁止することができる扉装置及び冷蔵庫を提供することにある。
【００１１】
【課題を解決するための手段】
本発明に係る扉装置は、開口部に２つの扉体を設け、前記２つの扉体は開口部の左右両側の上部と下部とに扉体の一側部で扉体と開口部との間に設けた上支持部と下支持部とを介してそれぞれ回動可能に支持され、前記開口部の中央側で扉体の他側部が互いに接触する扉装置において、２つの扉体の上支持部は、２つの扉体を他側部から一側部に向けて摺動可能とする摺動手段を有し、下支持部は２つの扉体の摺動を禁止する摺動禁止手段を有することを特徴とする。
【００１２】
この発明にあっては、２つの扉体の上支持部が有する摺動手段によって、一方の扉体の開き始めで他方の扉体との間に隙間を発生させつつ開き操作することができるため、扉体の一方を開閉操作するときに必要な操作力を比較的小さくすることができる。しかも、２つの扉体の下支持部が有する摺動禁止手段によって、２つの扉体が開口部を閉じた状態での扉体間の密封性を高めることができる。また、上支持部及び下支持部に対して扉体の他側に偏倚した位置に加わる扉体の重心荷重が比較的大きい場合においても、この重心荷重による扉体の摺動を禁止することができ、扉体による開口部の閉じ状態を維持することができる。
【００１３】
また、本発明に係る扉装置は、前記摺動手段は凸部と該凸部が相対摺動を可能に挿入される摺動案内凹部とを有することを特徴とする。
この発明にあっては、開口部側及び扉体の一方に凸部を設け、開口部側及び扉体の他方に摺動案内凹部を設けることにより摺動手段を構成することができるため、この摺動手段の構造が簡単である。
【００１４】
また、本発明に係る扉装置は、前記摺動禁止手段は凸部と該凸部が挿入される摺動禁止凹部とを有することを特徴とする。
この発明にあっては、開口部側及び扉体の一方に凸部を設け、開口部側及び扉体の他方に摺動禁止凹部を設けることにより摺動禁止手段を構成することができるため、この摺動禁止手段の構造が簡単である。
【００１５】
また、本発明に係る扉装置は、前記摺動手段は２つの扉体が摺動する方向へ離間する２つの凸部と、２つの凸部の一方が相対摺動を可能に挿入され、その長手方向が前記摺動する方向となる第１の凹部と、２つの凸部の他方が相対摺動を可能に挿入され、その長手方向が前記扉体の回動方向となる第２の凹部とを有することを特徴とする。
【００１６】
この発明にあっては、第１の凹部及び該第１の凹部に挿入された凸部を回動支点として扉体を摺動させつつ回動させることができ、しかも、第２の凹部及び該第２の凹部に挿入された凸部によって扉体の摺動方向へのガタ付きを抑制しつつ扉体を回動させることができ、扉体の開閉操作性をより一層良好にできる。
【００１８】
また、本発明に係る冷蔵庫は、前記開口部を有する収容室と、該収容室を有する冷蔵庫本体と、前記開口部に配置される前述の発明の扉装置とを備えることを特徴とする。
【００１９】
この発明にあっては、摺動手段によって、一方の扉体の開き始めで他方の扉体との間に隙間を発生させつつ開き操作することができるため、扉体の一方を開閉操作するときに必要な操作力を比較的小さくすることができ、しかも、摺動禁止手段によって、２つの扉体が開口部を閉じた状態での扉体間の密封性を高めることができ、また、扉体の内側に被冷蔵物が載せられる場合においても、扉体による開口部の閉じ状態を維持することができる。
【００２０】
【発明の実施の形態】
以下本発明をその実施の形態を示す図面に基づいて詳述する。
実施の形態１
図１は本発明に係る扉装置を用いた冷蔵庫の構成を示す斜視図、図２は冷蔵庫の扉を開いた状態の斜視図である。
【００２１】
図１、図２の冷蔵庫１は要冷蔵物がその前面の開口部１１ａから収容される上側収容室１１ｂ、要冷蔵物がその前面の開口部１１ｃ，１１ｄから収容される２つの下側収容室１１ｅ，１１ｆ及び要冷蔵物がその前面の開口部１１ｇから収容される１つの中間収容室１１ｈを有する冷蔵庫本体１１と、前記上側収容室１１ｂの開口部１１ａに配置される扉装置Ａと、前記下側収容室１１ｅ，１１ｆの開口部１１ｃ，１１ｄを開閉する２つの下側扉体１２，１３と、中間収容室１１ｈの開口部１１ｇを開閉する中間扉体１４とを備えている。
【００２２】
図３は扉装置における扉体の上支持部の構成を示す一部を省略した横断面図、図４は扉装置における扉体の下支持部の構成を示す一部を省略した横断面図、図５は扉装置の摺動手段を有する側の扉体が開く過程を示す説明図、図６は扉装置の摺動禁止手段を有する側の扉体が開く過程を示す説明図である。
扉装置Ａは、前記開口部１１ａの両側の上部と下部とで、その一側部２ａ，３ａが上支持部２１，３１及び下支持部２２，３２を介して回動可能に支持され、前記開口部１１ａの中央側でその他側部２ｂ，３ｂが互いに接触することにより封止される左右観音開閉式の２つの扉体２，３を備えている。
【００２３】
扉体２，３の上支持部２１，３１は扉体２，３を他側部２ｂ，３ｂから一側部２ａ，３ａに向けて摺動可能とする摺動手段を有しており、下支持部２２，３２は扉体２，３の摺動を禁止する摺動禁止手段を有している。
【００２４】
摺動手段は扉体２，３が摺動する方向（左右方向）へ離間した位置にその長手方向が上下となるように突設された２つの凸部２１ａ，２１ｂ、３１ａ，３１ｂと、前記一側部２ａ，３ａに近い側の凸部２１ａ，３１ａが相対摺動を可能に挿入され、その長手方向が前記摺動する方向となる第１の凹部２１ｃ，３１ｃ（摺動案内凹部）と、前記一側部２ａ，３ａと遠い側の凸部２１ｂ，３１ｂが相対摺動を可能に挿入され、その長手方向が前記扉体２，３の回動方向となる第２の凹部２１ｄ，３１ｄ（摺動案内凹部）とを備えている。
【００２５】
第１の凹部２１ｃ，３１ｃは長円形になっており、扉体２，３が閉のとき、第２の凹部２１ｄ，３１ｄに対して離間する側の第１位置（図５ａの位置）に前記凸部２１ａ，３１ａが位置し、扉体２，３が開のとき第２の凹部２１ｄ，３１ｄに対して近づく側の第２位置（図５ｃの位置）に前記凸部２１ａ，３１ａが位置するようにしてある。
第２の凹部２１ｄ，３１ｄは、第１の凹部２１ｃ，３１ｃに挿入された凸部２１ａ，３１ａを中心として扉体２，３が回動する軌跡に沿って湾曲し、その長手方向の一端を前記凸部２１ｂ，３１ｂの出入口としたカムになっており、扉体２，３が閉のとき、出入口と反対側の端部（図５ａの位置）に前記凸部２１ｂ，３１ｂが位置するようにしてある。
また、第１及び第２の凹部２１ｃ，３１ｃ、２１ｄ，３１ｄは扉体２，３の上面に設けられており、凸部２１ａ，２１ｂ、３１ａ，３１ｂは前記開口部１１ａ側の冷蔵庫本体１１に設けられている。尚、第１及び第２の凹部２１ｃ，３１ｃ、２１ｄ，３１ｄは前記開口部１１ａ側の冷蔵庫本体１１に設け、凸部２１ａ，２１ｂ、３１ａ，３１ｂは扉体２，３の上面に設けてもよい。
【００２６】
摺動禁止手段は扉体２，３の他側部２ｂ，３ｂが互いに接触する状態で扉体２，３が回動する回動中心位置に設けられた凸部２２ａ，３２ａと、該凸部２２ａ，３２ａが挿入される円柱形の摺動禁止凹部２２ｂ，３２ｂとからなり、扉体２，３を摺動させることなく、摺動禁止凹部２２ｂ，３２ｂに挿入された凸部２２ａ，３２ａを中心として扉体２，３が回動するようにしてある。
また、摺動禁止凹部２２ｂ，３２ｂは扉体２，３の下面に設け、凸部２２ａ，３２ａは開口部１１ａ側の冷蔵庫本体１１に設けられている。尚、摺動禁止凹部２２ｂ，３２ｂは前記開口部１１ａ側の冷蔵庫本体１１に設け、凸部２２ａ，３２ａは扉体２，３の下面に設けてもよい。
【００２７】
以上のように構成された扉装置Ａは、扉体２，３が開口部１１ａを閉じているとき、扉体２，３の他側部２ｂ，３ｂが互いに接触した状態で第１の凹部２１ｃ，３１ｃの第１位置に凸部２１ａ，３１ａが位置し（図５ａの位置）、第２の凹部２１ｄ，３１ｄの出入口と反対側端部に凸部２１ｂ，３１ｂが位置している（図５ａの位置）。この状態で一方の扉体２又は３、例えば左側の扉体２を開操作する場合、扉体２の開き始めでは凸部２１ａが第１の凹部２１ｃの第１位置（図５ａの位置）から第２位置（図５ｃの位置）へ相対摺動し、さらに、凸部２１ｂが第２の凹部２１ｄの出入口と反対側端部から出入口側へと相対摺動し、扉体２が他側部２ｂから一側部２ａへ向けて摺動しつつ上支持部２１の凸部２１ａ及び下支持部２２の凸部２２ａを中心として回動する。
【００２８】
この扉体２の上支持部２１での摺動によって扉体２の全体が下支持部２２の凸部２２ａを中心として僅かに傾き、扉体２の他側下端部が右側の扉体３の他側下端部と点接触する。この結果、扉体２，３間の接触抵抗を非常に低減した状態で扉体２を開操作することができるため、扉体２を開閉操作するときに必要な操作力を比較的小さくすることができる。
【００２９】
また、扉体２の開き始めでは凸部２１ｂが第２の凹部２１ｄの出入口と反対側端部から出入口側へと相対摺動し、扉体２の他側部２ｂから一側部２ａに向けての摺動を抑制しつつ扉体２が回動する。この結果、扉体２の摺動方向へのガタ付きを抑制しつつ扉体２を回動させることができ、扉体２の開閉操作性をより一層良好にできる。
【００３０】
図７は扉装置における扉体の上支持部及び下支持部と扉体に加わる重心荷重との関係を示す模式図である。
しかも、扉体２，３の下支持部２２，３２では摺動禁止手段によって扉体２，３の摺動が禁止されているため、上支持部２１，３１及び下支持部２２，３２に対して扉体２，３の他側部２ｂ，３ｂ側へ偏倚した位置に加わる扉体２，３の重心荷重が比較的大きい場合においても、換言すれば、扉体２，３の内面に設けられた収容部に要冷蔵物が収容されることにより扉体２，３の重心荷重が比較的大きい場合においても、この重心荷重による扉体２，３の摺動をなくすることができ、２つの扉体２，３が開口部１１ａを閉じた状態での扉体２，３間の密封性を高めることができる。このため、従来のように重心荷重に対抗する付勢ばねを用いる必要がなく、付勢ばねによる操作性の悪化をなくすることができる。
【００３３】
尚、以上説明した実施の形態では、摺動手段として２つの凸部２１ａ，２１ｂ、３１ａ，３１ｂと、第１及び第２の凹部２１ｃ，２１ｄ、３１ｃ，３１ｄからなる摺動案内凹部とを備えた構成したが、その他、前記凸部２１ｂ，３１ｂと、前記第２の凹部２１ｄ，３１ｄとをなくし、前記凸部２１ａ，３１ａと、前記第１の凹部２１ｃ，３１ｃからなる摺動案内凹部とを備えた構成としてもよい。
また、本発明に係る扉装置Ａは冷蔵庫に用いる他、例えば窓等の開口部を開閉するのに用いてもよい。
【００３４】
【発明の効果】
以上詳述したように本発明によれば、２つの扉体の上支持部が摺動手段を有し、下支持部が摺動禁止手段を有することにより、一方の扉体の開き始めで他方の扉体との間に隙間を発生させつつ開き操作することができ、扉体の一方を開閉操作するときに必要な操作力を比較的小さくすることができる。しかも、摺動禁止手段によって、２つの扉体が開口部を閉じた状態での扉体間の密封性を高めることができる。また、上支持部が摺動手段を有し、下支持部が摺動禁止手段を有するため、上支持部及び下支持部に対して扉体の他側に偏倚した位置に加わる扉体の重心荷重が比較的大きい場合においても、この重心荷重による扉体の摺動を禁止することができ、扉体による開口部の閉じ状態を維持することができる。
【００３５】
また、本発明によれば、摺動手段は凸部と該凸部が相対摺動を可能に挿入される摺動案内凹部とを有するため、この摺動手段の構造が簡単である。
【００３６】
また、本発明によれば、摺動禁止手段は凸部と該凸部が挿入される摺動禁止凹部とを有するため、この摺動禁止手段の構造が簡単である。
【００３７】
また、本発明によれば、摺動手段は２つの扉体が摺動する方向へ離間する２つの凸部と、該凸部の一方が相対摺動を可能に挿入され、その長手方向が前記摺動する方向となる第１の凹部と、２つの凸部の他方が相対摺動を可能に挿入され、その長手方向が前記扉体の回動方向となる第２の凹部とを有するため、扉体の摺動方向へのガタ付きを抑制しつつ扉体を回動させることができ、扉体の開閉操作性をより一層良好にできる。
【図面の簡単な説明】
【図１】本発明に係る扉装置を用いた冷蔵庫の構成を示す斜視図である。
【図２】本発明に係る扉装置を用いた冷蔵庫の扉を開いた状態の斜視図である。
【図３】本発明に係る扉装置における扉体の上支持部の構成を示す一部を省略した横断面図である。
【図４】本発明に係る扉装置における扉体の下支持部の構成を示す一部を省略した横断面図である。
【図５】本発明に係る扉装置の摺動手段を有する側の扉体が開く過程を示す説明図である。
【図６】本発明に係る扉装置の摺動禁止手段を有する側の扉体が開く過程を示す説明図である。
【図７】本発明に係る扉装置における扉体の上支持部及び下支持部と扉体に加わる重心荷重との関係を示す模式図である。
【図８】本発明の出願人が先に提案した扉装置における扉体の支持部の構成を示す一部を省略した横断面図である。
【図９】本発明の出願人が先に提案した扉装置における扉体の上支持部及び下支持部と扉体に加わる重心荷重との関係を示す模式図である。
【符号の説明】
１      冷蔵庫
１１    冷蔵庫本体
１１ａ  開口部
２，３  扉体
２ａ，３ａ  一側部
２ｂ，３ｂ  他側部
２１，３１  上支持部
２１ａ，２１ｂ、３１ａ，３１ｂ  凸部（摺動手段）
２１ｃ，３１ｃ  第１の凹部（摺動案内凹部、摺動手段）
２１ｄ，３１ｄ  第２の凹部（摺動案内凹部、摺動手段）
２２，３２  下支持部
２２ａ，３２ａ  凸部（摺動禁止手段）
２２ｂ，３２ｂ  凹部（摺動禁止凹部、摺動禁止手段）
【図１】
0003850337.tif 000002
【図２】
0003850337.tif 000003
【図３】
0003850337.tif 000004
【図４】
0003850337.tif 000005
【図５】
0003850337.tif 000006
【図６】
0003850337.tif 000007
【図７】
0003850337.tif 000008
【図８】
0003850337.tif 000009
【図９】
0003850337.tif 000010